(57)【要約】【課題】ラック体のラック歯を上下に分離可能な成形金型で樹脂材を用いて成形する。【解決手段】直線移動可能な光ピックアップ１４と、光ピックアップ１４に一体的に固定される固定部１７ａとこの固定部１７ａに対して略垂直な姿勢を保ち且つラック歯１７ｇ６，１７ｇ７を形成したラック部１７ｇとからなるラック体１７と、モータ２２によって回転駆動され且つラック歯１７ｇ６，１７ｇ７に噛合する螺旋状溝部２３ａを形成したリードスクリュー２３とを備え、ラック体１７のラック部１７ｇにラック歯１７ｇ６，１７ｇ７を上下に分離可能な成形金型で樹脂材を用いて成形する際、固定部１７ａと略平行にラック部１７ｇを延出させてラック部１７ｇにラック歯１７ｇ６，１７ｇ７を形成すると共に、ラック部１７ｇを固定部１７ａに対して略垂直な姿勢となるように弾性変位内で屈曲させるための屈曲部１７ｅ，１７ｆを固定部１７ａとラック部１７ｇとの間に形成した。【選択図】図２
2006266469.tif 000002
【特許請求の範囲】
【請求項１】
直線移動可能なキャリッジと、
前記キャリッジに一体的に固定される固定部と、この固定部に対して略垂直な姿勢を保ち且つラック歯を形成したラック部とからなるラック体と、
モータによって回転駆動され且つ前記ラック歯に噛合する螺旋状溝部を形成したリードスクリューとを備えた直線移動装置において、
前記ラック体の前記ラック部に前記ラック歯を上下に分離可能な成形金型で樹脂材を用いて成形するにあたって、前記固定部と略平行に前記ラック部を延出させて該ラック部に前記ラック歯を形成すると共に、前記ラック部を前記固定部に対して略垂直な姿勢となるように弾性変位内で屈曲させるための屈曲部を前記固定部と前記ラック部との間に形成したことを特徴とする直線移動装置。
【請求項２】
請求項１記載の直線移動装置において、
前記ラック体は、前記ラック部を前記固定部に対して略垂直な姿勢となるように前記屈曲部を介して屈曲させた時に、前記ラック部に対して前記リードスクリューによる送り方向への剛性を持たせるためのリブを前記固定部と前記ラック部との間で係合可能に形成したことを特徴とする直線移動装置。
【発明の詳細な説明】
【技術分野】
【０００１】
本発明は、モータによって回転駆動され且つ螺旋状溝部を有するリードスクリューにラック体のラック部に形成したラック歯を噛合させて、このラック体を一体的に取り付けたキャリッジを案内部材を介して直線移動させる直線移動装置に関するものである。
【背景技術】
【０００２】
一般的に、移動体を直線的に移動させる直線移動装置は各種の構造形態があるものの、この種の直線移動装置うちで、モータによって回転駆動され且つ螺旋状溝部を有するリードスクリューにラック体のラック部に形成したラック歯を噛合させて、リードスクリューの回転をラック体で直線移動可能に変換させることにより、ラック体を一体的に取り付けたキャリッジを案内部材を介して直線移動させる直線移動装置があり、例えば、光ディスクドライブ内の光ピックアップ送り装置などに適用されている（例えば、特許文献１参照）。
【特許文献１】特開２００２−１３８６１１号公報
【０００３】
図６は従来の直線移動装置の一例として、光ピックアップ送り装置を示した斜視図である。
【０００４】
図６に示した従来の直線移動装置の一例となる光ピックアップ送り装置１００は、上記した特許文献１（特開２００２−１３８６１１号公報）に開示されているものであり、ここでは特許文献１を参照しながら簡略に説明する。
【０００５】
図６に示した如く、上記した光ピックアップ送り装置１００では、不図示の光ディスクに対して記録及び／又は再生するための光ピックアップ１０１が互い平行な第１，第２ガイドシャフト１０２，１０３に案内されてＸ軸方向に直線移動可能に設けられている。この際、光ピックアップ１０１は直線移動可能なキャリッジであり、この光ピックアップ１０１の一端側に貫通して形成した孔部１０１ａ内に第１ガイドシャフト１０２を嵌合させ、且つ、光ピックアップ１０１の他端側に一部開口して形成した溝部１０１ｂ内に第２ガイドシャフト１０３を嵌合させている。
【０００６】
また、光ピックアップ１０１の一端側には、モータ１０４の軸に取り付けられて回転駆動され且つ螺旋状溝部１０５ａを有するリードスクリュー１０５が第１，第２ガイドシャフト１０２，１０３と略平行に設けられている。
【０００７】
そして、リードスクリュー１０５の螺旋状溝部１０５ａには、光ピックアップ１０１の一端側に固定させたラック体１０６のうちでラック部１０６ｃに形成したラック歯１０６ｃ１が常時噛合している。
【０００８】
上記したラック体１０６は、光ピックアップ１０１の底面と一端面に固定されるＬ字状の固定部１０６ａと、Ｌ字状の固定部１０６ａと下記するラック部１０６ｃとを連結し且つラック部１０６ｃを弾性変位させるために薄肉に形成した連結部１０６ｂと、リードスクリュー１０５の螺旋状溝部１０５ａに常時噛合するラック歯１０６ｃ１を有し且つＬ字状の固定部１０６ａの水平部位に対して略垂直なラック部１０６ｃとで樹脂材を用いて一体成形されている。
【０００９】
また、ラック体１０６のＬ字状固定部１０６ａとラック部１０６ｃとの間に圧縮コイルバネ１０７が装着され、この圧縮コイルバネ１０７の付勢力と連結部１０６ｂの弾性変位とによりラック部１０６ｃに形成したラック歯１０６ｃ１をリードスクリュー１０５側に押圧している。
【００１０】
上記のように構成した光ピックアップ送り装置１００内のモータ１０４を始動してリードスクリュー１０５を回転させると、リードスクリュー１０５の螺旋状溝部１０５ａに噛合したラック体１０６のラック歯１０６ｃ１がＸ軸方向に押されるので、ラック体１０６を固定した光ピックアップ１０１が第１，第２ガイドシャフト１０２，１０３に案内されて光ディスクの半径方向となるＸ軸方向に移動可能となる。
【発明の開示】
【発明が解決しようとする課題】
【００１１】
ところで、従来の直線移動装置の一例となる光ピックアップ送り装置１００では、モータ１０４により回転駆動され且つ螺旋状溝部１０５ａを有したリードスクリュー１０５と、このリードスクリュー１０５と噛合するラック歯１０６ｃ１をラック部１０６ｃに形成してリードスクリュー１０５の回転運動を直線運動に変換するラック体１０６とにより、このラック体１０６を一体的に取り付けた光ピックアップ１０１を光ディスクの径方向に移動できるものの、前述したように、樹脂材を用いたラック体１０６中でＬ字状の固定部１０６ａの水平部位に対して略垂直なラック部１０６ｃにラック歯１０６ｃ１を成形する場合に、成形金型はラック歯１０６ｃ１が上下に抜けるタイプではなく、スライド型の成形金型を使用しなければならないので、成形金型代が高くなり、これに伴ってラック体１０６の部品コストも高くなるという問題点が生じている。
【００１２】
そこで、モータによって回転駆動され且つ螺旋状溝部を有するリードスクリューにラック体のラック歯を噛合させて、このラック体を一体的に取り付けたキャリッジを案内部材を介して直線移動させるにあたって、このラック体中でキャリッジに固定する固定部に対して略垂直なラック部にラック歯を成形する場合に、成形金型代を安価にできる直線移動装置が望まれている。
【課題を解決するための手段】
【００１３】
本発明は上記課題に鑑みてなされたものであり、請求項１記載の発明は、直線移動可能なキャリッジと、
前記キャリッジに一体的に固定される固定部と、この固定部に対して略垂直な姿勢を保ち且つラック歯を形成したラック部とからなるラック体と、
モータによって回転駆動され且つ前記ラック歯に噛合する螺旋状溝部を形成したリードスクリューとを備えた直線移動装置において、
前記ラック体の前記ラック部に前記ラック歯を上下に分離可能な成形金型で樹脂材を用いて成形するにあたって、前記固定部と略平行に前記ラック部を延出させて該ラック部に前記ラック歯を形成すると共に、前記ラック部を前記固定部に対して略垂直な姿勢となるように弾性変位内で屈曲させるための屈曲部を前記固定部と前記ラック部との間に形成したことを特徴とする直線移動装置である。
【００１４】
また、請求項２記載の発明は、請求項１記載の直線移動装置において、
前記ラック体は、前記ラック部を前記固定部に対して略垂直な姿勢となるように前記屈曲部を介して屈曲させた時に、前記ラック部に対して前記リードスクリューによる送り方向への剛性を持たせるためのリブを前記固定部と前記ラック部との間で係合可能に形成したことを特徴とする直線移動装置である。
【発明の効果】
【００１５】
請求項１記載の直線移動装置によると、モータによって回転駆動されるリードスクリューの螺旋状溝部にラック体のラック部に形成したラック歯を噛合させる際に、とくに、ラック体のラック部にラック歯を上下に分離可能な成形金型で樹脂材を用いて成形するにあたって、固定部と略平行にラック部を延出させてラック部にラック歯を形成すると共に、ラック部を固定部に対して略垂直な姿勢となるように弾性変位内で屈曲させるための屈曲部を固定部とラック部との間に形成したために、ラック歯はスライド型の成形金型を用いる必要がなくなるために成形金型代が安価となり、これに伴ってラック体の部品コストも安価となる。
【００１６】
また、請求項２記載の直線移動装置によると、とくに、ラック体は、ラック部を固定部に対して略垂直な姿勢となるように屈曲部を介して屈曲させた時に、ラック部に対してリードスクリューによる送り方向への剛性を持たせるためのリブを固定部とラック部との間で係合可能に形成したため、ラック部は送り方向に対して剛性を高めることができる。
【発明を実施するための最良の形態】
【００１７】
以下に本発明に係る直線移動装置の一実施例を図１〜図５を参照して詳細に説明する。  本発明に係る直線移動装置は、モータによって回転駆動され且つリードスクリューにラック体のラック歯を噛合させて、このラック体を一体的に取り付けたキャリッジを案内部材を介して直線移動させるにあたって、このラック体中でキャリッジに固定する固定部に対して略垂直なラック部にラック歯を成形する場合に、ラック歯を形成したラック部を上下に分離可能な成形金型で成形した後に、ラック部を固定部に対して略垂直に折り曲げるように構成したことを特徴とするものである。
【００１８】
この際、本発明に係る直線移動装置は上記のように構成した構造形態であれば良く、以下の実施例では、本発明に係る直線移動装置を例えば光ディスクドライブ内の光ピックアップ送り装置に適用した場合について説明するが、これに限ることなく、ビデオカメラ内のレンズ送り装置などにも適用可能である。
【実施例】
【００１９】
図１は本発明に係る直線移動装置の一例として、光ピックアップ送り装置を示した斜視図、
図２は図１に示したフィード機構部を拡大して示した斜視図、
図３（ａ），（ｂ）はラック体を上下に分離可能な成形金型で成形した時の形状を上面側，下面側からそれぞれ見て示した斜視図、
図４（ａ），（ｂ）ははラック体のラック部を固定部に対して略垂直な姿勢を保つように屈曲部を介して屈曲させた後の使用状態を拡大して示した斜視図、
図５（ａ），（ｂ）はラック体の垂下部に形成したバネ掛止用ボスと、ラック部の内側面に形成したバネ掛止用ボスとの間に圧縮コイルバネを掛止させる状態を拡大して示した斜視図である。
【００２０】
図１に示した如く、本発明に係る直線移動装置の一例となる光ピックアップ送り装置１０では、ベース１１上で図示右方にスピンドルモータ１２が回転可能に設置されており、このスピンドルモータ１２のモータ軸に光ディスクＤを載置しながら一体に回転するターンテーブル１３が取り付けられている。
【００２１】
また、ベース１１上で図示左方には、光ディスクＤに対して記録及び／又は再生するための光ピックアップ１４が互い平行な第１，第２ガイドシャフト１５，１６に案内されてＸ軸方向に直線移動可能に設けられている。この際、光ピックアップ１４は直線移動可能なキャリッジであり、この光ピックアップ１４の一端側に貫通して形成した孔部１４ａ内に第１ガイドシャフト１５を嵌合させ、且つ、光ピックアップ１４の他端側に一部開口して形成した溝部１４ｂ内に第２ガイドシャフト１６を嵌合させている。
【００２２】
また、ベース１１内には、光デイスクＤの下面側に配設した光ピックアップ１４及び後述するフィード機構部２０を臨ませるための逃げ孔１１ａが貫通して形成されており、この逃げ孔１１ａの前後に沿って光ピックアップ１４を左右に案内する第１，第２ガイドシャフト１５，１６が平行に設けられていると共に、第１ガイドシャフト１５側に光ピックアップ１４を直線移動させるための駆動源となるフィード機構部２０が設けられている。
【００２３】
上記したフィード機構部２０は、ブラケット２１にフィードモータ２２が取り付けられており、このフィードモータ２２の軸に取り付けられて回転駆動され且つ螺旋状溝部２３ａを有するリードスクリュー２３が第１，第２ガイドシャフト１５，１６と略平行にブラケット２１に軸支されている。
【００２４】
また、光ピックアップ１４の一端側には、ラック歯１７ｇ６，１７ｇ７を形成したラック体１７が一体的に固着されている。
【００２５】
そして、図２に拡大して示した如く、フィード機構部２０中でフィードモータ２２によって回転駆動されるリードスクリュー２３の螺旋状溝部２３ａには、光ピックアップ１４（図１）の一端側に固定部１７ａを介して固定させたラック体１７のうちで固定部１７ａに対して略垂直な姿勢で保持されたラック部１７ｇに形成した２本のラック歯１７ｇ６，１７ｇ７が後述する圧縮コイルバネ１８によって押圧されながら常時噛合している。
【００２６】
ここで、上記したラック体１７は、実施例の要部を構成する部材であり、例えばポリアセタール樹脂を用いて上下に分離可能な成形金型により一体成形した後に、２本のラック歯１７ｇ６，１７ｇ７を形成したラック部１７ｇを固定部１７ａに対して略垂直な姿勢となるように後述する屈曲部１７ｅ，１７ｆを介して折り曲げて使用することを特徴としている。
【００２７】
即ち、図３（ａ），（ｂ）に拡大して示した如く、実施例の要部となるラック体１７は、リードスクリュー２３（図１，図２）に噛合する使用時の形態とは異なって、上下に分離可能な成形金型で一体的に成形できるような形状にポリアセタール樹脂を用いて成形されている。
【００２８】
より具体的に説明すると、ラック体１７は、図１に示した光ピックアップ１４の底面１４ｃに対して２本の位置決めボス１７ａ１，１７ａ２で位置決めされながら取り付け孔１７ａ３から不図示のネジを介して固定される平坦な固定部１７ａと、平坦な固定部１７ａから下方に向かって垂下され且つバネ掛止用ボス１７ｂ１を中央に突出形成した垂下部１７ｂと、固定部１７ａの裏面と垂下部１７ｂの裏面とにそれぞれ三角状に連接した２個の三角状リブ１７ａｂ１，１７ａｂ２と、垂下部１７ｂの両下端からリードスクリュー２３（図１，図２）に向かって所定の間隔を持って肉薄で水平に延出させた２個の連結片１７ｃ，１７ｄと、垂下部１７ｂと２個の連結片１７ｃ，１７ｄとにそれぞれ直角に連接した２個の矩形状リブ１７ｂｃ，１７ｂｄと、２個の連結片１７ｃ，１７ｄの先端部裏面側をそれぞれ薄肉に切り込んで弾性変位内で屈曲自在な２箇所の屈曲部１７ｅ，１７ｆと、２箇所の屈曲部１７ｅ，１７ｆから肉厚で水平に延出され且つ上面（内側面）に上記した２個の矩形状リブ１７ｂｃ，１７ｂｄと対向して一対の挟持用リブ（１７ｇ１，１７ｇ２），（１７ｇ３，１７ｇ４）を上方に向かって半円状に２組形成し且つ前記したバネ掛止用ボス１７ｂ１と対向してバネ掛止用ボス１７ｇ５を形成すると共に下面（外側面）に２本のラック歯１７ｇ６，１７ｇ７を突出形成したラック部１７ｇとで構成されている。
【００２９】
この際、ラック体１７のラック部１７ｇの外側面に２本のラック歯１７ｇ６，１７ｇ７を上下に分離可能な成形金型で樹脂材を用いて成形するにあたって、固定部１７ａと略平行にラック部１７ｇを延出させてラック部１７ｇの外側面に２本のラック歯１７ｇ６，１７ｇ７を形成すると共に、ラック部１７ｇを固定部１７ａに対して略垂直な姿勢となるように弾性変位内で屈曲させるための屈曲部１７ｅ，１７ｆを固定部１７ａとラック部１７ｇとの間に少なくとも形成しているので、これによりラック部１７ｇの外側面に形成される２本のラック歯１７ｇ６，１７ｇ７はスライド型の成形金型を用いる必要がなくなるために成形金型代が安価となり、これに伴ってラック体１７の部品コストも安価となる。
【００３０】
そして、図４（ａ），（ｂ）に拡大して示した如く、ラック体１７を成形した後に、固定部１７ａとラック部１７ｇとの間に形成した２箇所の屈曲部１７ｅ，１７ｆを介してラック部１７ｇを垂下部１７ｂ側に向かって弾性変位内で屈曲させると、固定部１７ａと２個の連結片１７ｃ，１７ｄとの間に形成した２個の矩形状リブ１７ｂｃ，１７ｂｄがラック部１７ｇの内側面に２組形成した一対の挟持用リブ（１７ｇ１，１７ｇ２），（１７ｇ３，１７ｇ４）に挟持されながら係合されるために、ラック部１７ｇは送り方向（Ｘ方向）に対して剛性を高めることができ、且つ、ラック部１７ｇは垂下部１７ｂに対して略平行に対向しながら固定部１７ａに対して略垂直な姿勢を保つことができるので、ラック部１７ｇの外側面に形成した２本のラック歯１７ｇ６，１７ｇ７がリードスクリュー２３の螺旋状溝部２３ａ（図１，図２）に噛合可能な使用状態となる。
【００３１】
更に、図５（ａ），（ｂ）に拡大して示した如く、ラック体１７の垂下部１７ｂに形成したバネ掛止用ボス１７ｂ１と、ラック部１７ｇの内側面に形成したバネ掛止用ボス１７ｇ５には、圧縮コイルバネ１８の内径が挿入し易いように傾斜面が形成されている。そして、ラック体１７の両バネ掛止用ボス１７ｂ１，１７ｇ５間に圧縮コイルバネ１８が装着されると、この圧縮コイルバネ１８の付勢力でラック部１７ｇの外側面に形成した２本のラック歯１７ｇ６，１７ｇ７が図１，図２に示したリードスクリュー２３の螺旋状溝部２３ａ側に押圧されるので、ラック体１７を固定した光ピックアップ１４（図１）が直線移動可能となる。
【図面の簡単な説明】
【００３２】
【図１】本発明に係る直線移動装置の一例として、光ピックアップ送り装置を示した斜視図である。
【図２】図１に示したフィード機構部を拡大して示した斜視図である。
【図３】（ａ），（ｂ）はラック体を上下に分離可能な成形金型で成形した時の形状を上面側，下面側からそれぞれ見て示した斜視図である。
【図４】（ａ），（ｂ）はラック体のラック部を固定部に対して略垂直な姿勢を保つように屈曲部を介して屈曲させた後の使用状態を拡大して示した斜視図である。
【図５】（ａ），（ｂ）はラック体の垂下部に形成したバネ掛止用ボスと、ラック部の内側面に形成したバネ掛止用ボスとの間に圧縮コイルバネを掛止させる状態を拡大して示した斜視図である。
【図６】従来の直線移動装置の一例として、光ピックアップ送り装置を示した斜視図である。
【符号の説明】
【００３３】
１０…光ピックアップ送り装置、
１１…ベース、１２…スピンドルモータ、１３…ターンテーブル、
１４…光ピックアップ、
１５，１６…第１，第２ガイドシャフト、
１７…ラック体、
１７ａ…固定部、１７ａ１，１７ａ２…位置決めボス、１７ａ３…取り付け孔、
１７ｂ…垂下部、１７ｂ１…バネ掛止用ボス、
１７ｃ，１７ｄ…２個の連結片、１７ｂｃ，１７ｂｄ…２個の矩形状リブ、
１７ｅ，１７ｆ…２箇所の屈曲部、
１７ｇ…ラック部、
（１７ｇ１，１７ｇ２），（１７ｇ３，１７ｇ４）…一対の挟持用リブ、
１７ｇ５…バネ掛止用ボス、１７ｇ６，１７ｇ７…ラック歯、
１８…圧縮コイルバネ、
２０…フィード機構部、２１…ブラケット、２２…フィードモータ、
２３…リードスクリュー、２３ａ…螺旋状溝部、
Ｄ…光ディスク。
【図１】
2006266469.tif 000003
【図２】
2006266469.tif 000004
【図３】
2006266469.tif 000005
【図４】
2006266469.tif 000006
【図５】
2006266469.tif 000007
【図６】
2006266469.tif 000008